(57)【特許請求の範囲】
【請求項１】
３４ｍｍ規格のエクスプレスカードのテレビカード、前記テレビカードのリモコン装置及び接続構造を備える遠隔制御モジュールが結合されたテレビカードであって、
前記３４ｍｍ規格のエクスプレスカードのテレビカードは、該テレビカードの長辺及び該テレビカードの短辺を有し、前記テレビカードの短辺の長さは３４ｍｍであり、
前記テレビカードのリモコン装置は、該リモコン装置の長辺及び該リモコン装置の短辺を有し、前記リモコン装置の短辺の長さは２０ｍｍ以下であり、
前記接続構造は、前記テレビカードの長辺と前記リモコン装置の長辺とが接続され、前記遠隔制御モジュールが結合されたテレビカードを構成し、
前記遠隔制御モジュールが結合されたテレビカードは、ノートブック型コンピュータの５４ｍｍ規格のエクスプレスカードのスロットに挿入されることを特徴とする遠隔制御モジュールが結合されたテレビカード。
【請求項２】
前記リモコン装置は、短辺の長さが２０ｍｍであり、
前記接続構造は、前記テレビカードの長辺から突出した凸縁を有することを特徴とする請求項１に記載の遠隔制御モジュールが結合されたテレビカード。
【請求項３】
前記接続構造は、前記リモコン装置の長辺に設けられた凹部をさらに有し、
前記凹部は、前記凸縁と係合し、前記３４ｍｍ規格のエクスプレスカードのテレビカードと前記テレビカードのリモコン装置とに接続されることを特徴とする請求項２に記載の遠隔制御モジュールが結合されたテレビカード。
【請求項４】
前記凸縁は首部を有し、前記接続構造は前記凸縁に対応したスライド溝をさらに有し、前記スライド溝は前記リモコン装置の長辺に設けられ、前記凸縁は、前記スライド溝と嵌合し、前記３４ｍｍ規格のエクスプレスカードのテレビカードと前記テレビカードのリモコン装置とが接続することを特徴とする請求項２に記載の遠隔制御モジュールが結合されたテレビカード。
【請求項５】
前記リモコン装置の短辺は、長さが２０ｍｍよりも小さく、前記接続構造はハウジングをさらに有し、前記テレビカードのリモコン装置は前記ハウジングの中に配置され、前記ハウジングは、該ハウジングの長辺及び該ハウジングの短辺を有し、前記ハウジングの短辺は長さが２０ｍｍであり、前記ハウジングは凸縁に対応した凹部を有し、前記凹部は前記凸縁に係合し、前記ハウジングと前記３４ｍｍ規格のエクスプレスカードのテレビカードとが接続することを特徴とする請求項１に記載の遠隔制御モジュールが結合されたテレビカード。
【請求項６】
前記ハウジングは、短辺に開口が設けられ、支点及びリンク構造を有し、
前記リンク構造は、前記支点を回転軸として用い、２つの折曲部を有し、該２つの折曲部から両端部の各々が延伸し、一方の端部が前記ハウジングの前記開口から延伸し、他方の端部が前記テレビカードのリモコン装置の前記開口から離れた位置にある一方の端部と接触していることを特徴とする請求項５に記載の遠隔制御モジュールが結合されたテレビカード。
【発明の詳細な説明】
【技術分野】
【０００１】
本発明はテレビカードに関し、特に遠隔制御モジュールが結合されたテレビカードに関する。
【背景技術】
【０００２】
情報技術の発展に伴い、コンピュータ製品は普及してきている。それと同時に、コンピュータ周辺装置の種類や機能も多くなってきている。例えば、消費者の多くは、コンピュータスクリーンによりテレビ番組を視聴するために、外付けのテレビカード又はテレビボックスを利用するが、特に居住空間が狭い部屋に住んでいる者にとって、テレビのマルチメディア製品は非常に便利な製品であった。テレビカードは、テレビボックスと異なり、コンピュータを使用しながらテレビ番組を見ることができる上、画像をキャプチャしたり編集したりすることができ、同じ機能を有するテレビボックスと比べて安価な点が優れている。
【０００３】
エクスプレスカード（Ｅｘｐｒｅｓｓ  Ｃａｒｄ）は、テレビカードでよく使用される規格の一つである。エクスプレスカードは、幅が５４ｍｍ規格のものと３４ｍｍ規格のものとの２種類があり、対応するエクスプレスカードのスロットは、５４ｍｍ規格のものと３４ｍｍ規格のものとの２種類がある。５４ｍｍ規格のエクスプレスカードのスロットは、３４ｍｍ規格のエクスプレスカードを使用することもできるため、現在のノートブック型コンピュータは、５４ｍｍ規格のエクスプレスカードのスロットが装備されているものが多い。
【０００４】
テレビカードは、リモコン装置と一緒に使用されることが多いが、このリモコン装置は携帯するときに余計な空間を占用する上、紛失しやすかった。そのため、リモコン装置を携帯するときの占用空間が低減し、紛失しやすいという問題を解決することが求められていた。
【発明の開示】
【発明が解決しようとする課題】
【０００５】
本発明の目的は、リモコン装置を携帯するときの占用空間を低減する遠隔制御モジュールが結合されたテレビカードを提供することにある。
本発明のもう一つの目的は、リモコン装置の紛失を防ぐ遠隔制御モジュールが結合されたテレビカードを提供することにある。
【課題を解決するための手段】
【０００６】
（１）  ３４ｍｍ規格のエクスプレスカードのテレビカード、前記テレビカードのリモコン装置及び接続構造を備える遠隔制御モジュールが結合されたテレビカードであって、前記３４ｍｍ規格のエクスプレスカードのテレビカードは、該テレビカードの長辺及び該テレビカードの短辺を有し、前記テレビカードの短辺の長さは３４ｍｍであり、前記テレビカードのリモコン装置は、該リモコン装置の長辺及び該リモコン装置の短辺を有し、前記リモコン装置の短辺の長さは２０ｍｍ以下であり、前記接続構造は、前記テレビカードの長辺と前記リモコン装置の長辺とが接続され、前記遠隔制御モジュールが結合されたテレビカードを構成し、前記遠隔制御モジュールが結合されたテレビカードは、ノートブック型コンピュータの５４ｍｍ規格のエクスプレスカードのスロットに挿入されることを特徴とする遠隔制御モジュールが結合されたテレビカード。
【０００７】
（２）  前記リモコン装置は、短辺の長さが２０ｍｍであり、前記接続構造は、前記テレビカードの長辺から突出した凸縁を有することを特徴とする（１）に記載の遠隔制御モジュールが結合されたテレビカード。
【０００８】
（３）  前記接続構造は、前記リモコン装置の長辺に設けられた凹部をさらに有し、前記凹部は、前記凸縁と係合し、前記３４ｍｍ規格のエクスプレスカードのテレビカードと前記テレビカードのリモコン装置とに接続されることを特徴とする（２）に記載の遠隔制御モジュールが結合されたテレビカード。
【０００９】
（４）  前記凸縁は首部を有し、前記接続構造は前記凸縁に対応したスライド溝をさらに有し、前記スライド溝は前記リモコン装置の長辺に設けられ、前記凸縁は、前記スライド溝と嵌合し、前記３４ｍｍ規格のエクスプレスカードのテレビカードと前記テレビカードのリモコン装置とが接続することを特徴とする（２）に記載の遠隔制御モジュールが結合されたテレビカード。
【００１０】
（５）  前記リモコン装置の短辺は、長さが２０ｍｍよりも小さく、前記接続構造はハウジングをさらに有し、前記テレビカードのリモコン装置は前記ハウジングの中に配置され、前記ハウジングは、該ハウジングの長辺及び該ハウジングの短辺を有し、前記ハウジングの短辺は長さが２０ｍｍであり、前記ハウジングは凸縁に対応した凹部を有し、前記凹部は前記凸縁に係合し、前記ハウジングと前記３４ｍｍ規格のエクスプレスカードのテレビカードとが接続することを特徴とする（１）に記載の遠隔制御モジュールが結合されたテレビカード。
【００１１】
（６）  前記ハウジングは、短辺に開口が設けられ、支点及びリンク構造を有し、前記リンク構造は、前記支点を回転軸として用い、２つの折曲部を有し、該２つの折曲部から両端部の各々が延伸し、一方の端部が前記ハウジングの前記開口から延伸し、他方の端部が前記テレビカードのリモコン装置の前記開口から離れた位置にある一方の端部と接触していることを特徴とする（５）に記載の遠隔制御モジュールが結合されたテレビカード。
【発明の効果】
【００１２】
本発明の遠隔制御モジュールが結合されたテレビカードは、３４ｍｍ規格のエクスプレスカードのテレビカードとリモコン装置とを組み合わせることにより、テレビカードとリモコン装置とを結合させて５４ｍｍ規格のエクスプレスカードのスロットの中へ挿入し、リモコン装置の占有空間を有効に低減し、リモコン装置の紛失を防止することができる。
【発明を実施するための最良の形態】
【００１３】
以下、添付図面を参照して本発明の好適な実施形態について詳細に説明する。
（第１実施形態）
図１を参照する。図１は、本発明の第１実施形態による遠隔制御モジュールが結合されたテレビカードを示す模式図である。図１に示すように、遠隔制御モジュールが結合されたテレビカード１００は、テレビカード１１０、リモコン装置１２０、及びテレビカード１１０とリモコン装置１２０とを接続する接続構造を含む。テレビカード１１０は、３４ｍｍ規格のエクスプレスカードのテレビカードである。テレビカード１１０は、テレビカードの長辺１１２及びテレビカードの短辺１１４を有し、テレビカードの短辺１１４の長さは３４ｍｍである。リモコン装置１２０は、テレビカードのリモコン装置であり、リモコン装置の長辺１２２及びリモコン装置の短辺１２４を有する。第１実施形態のリモコン装置の短辺１２４は、長さが約２０ｍｍであり、遠隔制御モジュールが結合されたテレビカード１００の幅Ｗは約５４ｍｍである。
【００１４】
５４ｍｍ規格のエクスプレスカードのスロットは、３４ｍｍ規格のエクスプレスカードと互換性があるため、ほとんどのコンピュータ（特に、５４ｍｍ規格のエクスプレスカードのスロットを装備したノートブック型コンピュータ）は、５４ｍｍ規格のエクスプレスカードのスロットに遠隔制御モジュールが結合されたテレビカード１００を挿入することができる。そのため、リモコン装置１２０の占有空間を低減させることができるとともに、リモコン装置１２０が紛失することを防ぐことができる。
【００１５】
図２Ａ及び図２Ｂを参照する。図２Ａ及び図２Ｂは、本発明の第１実施形態による異なる接続構造によりテレビカードと遠隔制御モジュールとを接続した状態を示す断面図である。図１及び図２Ａに示すように、リモコン装置の短辺１２４の長さは約２０ｍｍであり、リモコン装置の長辺１２２の長さは５３ｍｍ以下である。接続構造は、テレビカードの長辺１１２から突出した凸縁１３０と、リモコン装置の長辺１２２に設けられた凹部１３２とを含む。凸縁１３０と凹部１３２とを係合すると、テレビカード１１０とリモコン装置１２０とが接続され、遠隔制御モジュールが結合されたテレビカード１００が構成される。
【００１６】
或いは、図１及び図２Ｂに示すように、リモコン装置の短辺１２４の長さは約２０ｍｍであり、リモコン装置の長辺１２２の長さは５３ｍｍ以下である。接続構造の凸縁１３０は、凹部の首部１３４を有し、凸縁１３０に対応してリモコン装置１２０のリモコン装置の長辺１２２に配置された１つのスライド溝１３６をさらに有する。凹部を有する首部１３４の凸縁１３０をスライド溝１３６に入れて嵌合すると、テレビカード１１０とリモコン装置１２０とが接続され、分離しづらくなる。
【００１７】
（第２実施形態）
図３Ａ及び図３Ｂを参照する。図３Ａは、本発明の第２実施形態による遠隔制御モジュールが結合されたテレビカードを示す模式図である。図３Ｂは、本発明の第２実施形態による遠隔制御モジュールが結合されたテレビカードを示す断面図である。接続構造は、ハウジングの長辺１４２及びハウジングの短辺１４４を有し、リモコン装置１２０が中に配置されたハウジング１４０を含む。図３Ａ及び図３Ｂに示すように、テレビカード１１０は、３４ｍｍ規格のエクスプレスカードのテレビカードであり、リモコン装置の短辺の長さは２０ｍｍよりも小さい。ハウジング１４０のハウジングの短辺１４４は、長さが約２０ｍｍであり、遠隔制御モジュールが結合されたテレビカード１００の幅Ｗは約５４ｍｍであり、ハウジングの長辺１４２は長さが５３ｍｍ以下である。テレビカード１１０には凸縁１３０が設けられ、ハウジング１４０のハウジングの長辺１４２には凸縁１３０に対応した凹部１４８が設けられ、凸縁１３０と凹部１４８とを係合すると、テレビカード１１０とハウジング１４０とが接続される。
【００１８】
ハウジング１４０のハウジングの短辺１４４には開口１４６が設けられている。また、ハウジング１４０は、支点１５０及びリンク構造１６０を有する。リンク構造１６０は、回転軸となる支点１５０に接続されてもよい。リンク構造１６０は、２つの屈折部を有し、リンク構造１６０の両端にある端部１６２，１６４の各々は、２つの屈折部から延伸されている。リンク構造１６０の一方の端部１６２は、ハウジング１４０の開口１４６から延伸され、リンク構造１６０の他方の端部１６４は、リモコン装置１２０の開口１４６から離れた位置にある一方の端部と接触されてもよい。そして、リンク構造１６０の端部１６２がハウジング１４０の中に圧入されると、リンク構造１６０は、支点１５０を回転軸として回転し、リンク構造１６０の他方の端部１６４がリモコン装置１２０へ向かって押され、ハウジング１４０の開口１４６へ向かってリモコン装置１２０が押される。
【００１９】
上述した実施形態から分かるように、本実施形態の遠隔制御モジュールが結合されたテレビカードは、３４ｍｍ規格のエクスプレスカードのテレビカードとリモコン装置とを組み合わせることにより、テレビカードとリモコン装置とを結合させて５４ｍｍ規格のエクスプレスカードのスロット中へ挿入し、リモコン装置の占有空間を有効に低減し、リモコン装置が紛失することを防ぐことができる。
【００２０】
当該分野の技術を熟知するものが理解できるように、本発明の好適な実施の形態を前述の通り開示したが、これらは決して本発明を限定するものではない。本発明の主旨と範囲を脱しない範囲内で各種の変更や修正を加えることができる。従って、本発明の特許請求の範囲は、このような変更や修正を含めて広く解釈されるべきである。
【図面の簡単な説明】
【００２１】
【図１】本発明の第１実施形態による遠隔制御モジュールが結合されたテレビカードを示す模式図である。
【図２Ａ】本発明の第１実施形態による異なる接続構造によりテレビカードと遠隔制御モジュールとが接続された状態を示す断面図である。
【図２Ｂ】本発明の第１実施形態による異なる接続構造によりテレビカードと遠隔制御モジュールとが接続された状態の他の例を示す断面図である。
【図３Ａ】本発明の第２実施形態による遠隔制御モジュールが結合されたテレビカードを示す模式図である。
【図３Ｂ】本発明の第２実施形態による遠隔制御モジュールが結合されたテレビカードを示す断面図である。
【符号の説明】
【００２２】
１００…遠隔制御モジュールが結合されたテレビカード、
１１０…テレビカード、
１１２…テレビカードの長辺、
１１４…テレビカードの短辺、
１２０…リモコン装置、
１２２…リモコン装置の長辺、
１２４…リモコン装置の短辺、
１３０…凸縁、
１３２…凹部、
１３４…首部、
１３６…スライド溝、
１４０…ハウジング、
１４２…ハウジングの長辺、
１４４…ハウジングの短辺、
１４６…開口、
１４８…凹部、
１５０…支点、
１６０…リンク構造、
１６２…端部、
１６４…端部、
Ｗ…幅。
【図１】
0004406020.tif 000002
【図２Ａ】
0004406020.tif 000003
【図２Ｂ】
0004406020.tif 000004
【図３Ａ】
0004406020.tif 000005
【図３Ｂ】
0004406020.tif 000006